(57)【特許請求の範囲】
【請求項１】
同一番手でありながらロフト角度、重心高さ、重心深度、ライ角度、フェース角、ヘッド体積又は総重量が異なる複数種類のゴルフクラブを含むゴルフクラブ群において、前記同一番手のゴルフクラブのトウダウン量比を、ゴルファーの回転角速度と腕の長さを一定とする条件下で、０．９〜１．１に設定した同一番手のゴルフクラブ群。
【請求項２】
前記ゴルフクラブ群が、ウッドゴルフクラブからなる請求項１に記載の同一番手のゴルフクラブ群。
【請求項３】
前記ゴルフクラブ群が、アイアンゴルフクラブからなる請求項１に記載の同一番手のゴルフクラブ群。
【請求項４】
前記同一番手のゴルフクラブに、ゴルフクラブが同一番手毎に互いに実質的に同一のトウダウン量比を有していることを識別する識別記号を表示した請求項１，２または３に記載の同一番手のゴルフクラブ群。
【発明の詳細な説明】
【０００１】
【発明の属する技術分野】
この発明は、同一番手である複数種類のゴルフクラブを含むゴルフクラブ群に係わり、更に詳しくは同一番手のゴルフクラブのトウダウン量を略一定にしたゴルフクラブ群に関するものである。
【０００２】
【従来の技術】
一般に、ゴルフクラブメーカーがゴルフクラブを販売するに際して、各クラブ番手を単品で販売する場合、同一クラブ番手（例えば、番手＃１）間であっても、その種類の違いによって、ロフト角度，重心高さ，重心深度，ライ角度，フェース角，ヘッド体積，総重量等の種類を異ならせた二本以上のゴルフクラブを単品にてゴルフクラブシリーズとして販売する場合がある。
【０００３】
また一方、一般需要者がゴルフクラブを各番手毎に選択して購入したり、また保有しているクラブセットにある番手のみのクラブを選択して購入する場合、形態，色彩等を選定し、更にゴルファー自身のヘッドスピードに対応したものを選択する方法が一般的に行われている。
ところで、一般需要者がゴルフクラブを選定する要素として、上記のようなヘッドスピード等の他に、ゴルフクラブがそれぞれ備えているトウダウン特性と言うものがある。
【０００４】
このトウダウン特性は、ゴルフクラブをスウィングしたときにトウダウン現象によりボールの方向性が損なわれ、上記ヘッドスピードでは制御できないものである。
上記トウダウン現象とは、ティーアップしたゴルフボールの中心に対して、クラブヘッドのフェース面中心を位置合わせし、次いでゴルフクラブをスウィングした時にクラブヘッドにかかる遠心力と重力との作用からクラブシャフトが撓んで、クラブヘッドのフェース面中心が、ゴルフボールの中心に対して内側に移動する現象であり、ゴルフクラブをスウィングした時にクラブヘッドがプレーヤー側に引き寄せられる時の移動量を言い、その当初の中心からの移動量をトウダウン量と言う。
【０００５】
このトウダウン現象は、例えば、図３の記号ｅに示すように、クラブヘッド１の重心位置Ｇが、クラブシャフト２の軸線Ｘ−Ｘから一般に３０mm〜５０mm（ウッドゴルフクラブヘッドの場合）程度離れており、ゴルフクラブをスウィングした時に、クラブヘッド１にかかる遠心力と重力との作用からシャフト２が図３の一点鎖線に示すように撓んでクラブヘッド１がプレーヤー側（図の矢印方向）へ引き寄せようとする力から生ずるものである。
【０００６】
【発明が解決しようとする課題】
一般にゴルフクラブシリーズとしで販売されているゴルフクラブ群は、その同一番手が持っている、所謂トウダウン特性はまちまちである。即ち、同一シリーズと称する数種類のゴルフクラブから成る数組みのゴルフクラブシリーズにあっては、同一番手でも当然のようにトウダウン特性はまちまちである。
【０００７】
そのため、同一シリーズから同じ番手、例えば、番手＃１のウッドゴルフクラブを別に購入して新たにセットを構成した場合、前に使用している番手＃１と同じスタンスでスウィングすると、トウダウン量が異なるため、結果としてクラブフェースでボールを捉える位置がまちまちになった。
なお、上記同じスタンスとは、アドレス時にクラブフェース面の相似的同一部分でボールの位置合わせをすることを言う。その結果、ボールの弾道は、左右にバラツキが大きくなり、また理想のポイントでヒットしない時には、目的とする飛距離を損なうと言うゴルフクラブにとって致命的な欠点が生じていた。
【０００８】
従って、ゴルフクラブの選定要素として、例え上記のヘッドスピードを一義的に選定しても、必ずしも最大飛距離を得ることは難しく、また打球の安定した方向性を得るためには、所謂、トウダウン現象と言う要素がゴルフクラブを選択するために重要であることが判った。
この発明の目的は、同一シリーズ内で種類の異なる二本以上のゴルフクラブをスウィングする際にも違和感が小さく、しかもスタンスを同じにしてスウィングすることが出来、安定した方向性を常に得ることが出来る同一番手のゴルフクラブ群を提供することにある。
【０００９】
また、この発明の他の目的は、ゴルフクラブが同一番手毎に互いに実質的に同一のトウダウン量比を有していることを識別する識別記号を表示して識別可能にすることで、ユーザーが自分の好みにあった番手をトウダウン現象を気にせず互換可能にすることが出来る同一番手のゴルフクラブ群を提供することにある。
【００１０】
【課題を解決するための手段】
この発明は上記目的を達成するため、同一番手でありながらロフト角度、重心高さ、重心深度、ライ角度、フェース角、ヘッド体積又は総重量が異なる複数種類のゴルフクラブを含むゴルフクラブ群において、前記同一番手のゴルフクラブのトウダウン量比を、ゴルファーの回転角速度と腕の長さを一定とする条件下で、０．９〜１．１に設定した同一番手のゴルフクラブ群とすることを要旨とするものである。
上記のように同一番手である複数種類のゴルフクラブを含むゴルフクラブ群において、同一番手間のゴルフクラブのトウダウン量比を略一定に設定することで、一般のゴルファーがトウダウン現象を知らずに選定してゴルフクラブを購入して使用しても番手間の違和感が小さく、しかも種類違いのゴルフクラブであってもスタンスを同じにしてスウィングすることが可能となり、常に安定した方向性を得ることが出来るようになる。
【００１１】
更に、ゴルフクラブが同一番手毎に互いに実質的に同一のトウダウン量比を有していることを識別する識別記号を表示して識別可能にすることで、同一トウダウン量比のクラブであれば新たに購入したゴルフクラブであっても、スタンスを同じにしてスウィングすることが可能となり、常に安定した方向性を得ることが出来るようになる。
【００１２】
ここで、トウダウン量比とは、後述する実施形態で示す各クラブの等価トウダウン量を、あるクラブを基準として他のクラブとの比をとったものである。
【００１３】
【発明の実施の形態】
この発明において、「等価トウダウン量」とは、次のようにして計算されるので力学的に詳述すると、以下のようになる。
即ち、図３のウッドゴルフクラブを参照して説明すると、ゴルフクラブを振ることによる遠心力（Ｆ）は、以下のように表わされる。
【００１４】
なお、以下の式における記号は、下記の意味を有するものである。
ω：各ゴルファー固有の回転角速度
ｅ：シャフト軸線からのヘッド重心距離
ｒ：クラブ長さ
ｒ0 ：プレーヤーの腕の長さ
ｍ：ヘッド質量
Ｆ：ゴルフクラブを振ることによる遠心力
Ｍ：モーメント（Ｍ）
（ＥＩ）eq：シャフトの等価曲げ剛性
Ｆ＝ｍＲω2 （但し、Ｒ＝ｒ＋ｒ0 ）・・・（１）
この遠心力（Ｆ）と、ｅ（シャフト軸線からのヘッド重心距離）とにより、モーメント（Ｍ）が生ずる。
【００１５】
Ｍ＝ｅＦ＝ｅｍＲω2   ・・・・・・・・・（２）
このモーメント（Ｍ）によってシャフトは曲げ変形を受けて撓む。この量を等価トウダウン量δeqとすると、以下のようになる。
【００１６】
【数１】
0004043072.tif 000002
【００１７】
然し、上記の式において、シャフトの曲げ剛性（EI）は、シャフト全長にわたる剛性分布の積分値を用いるのが良いが、ここではゴルフ業界で用いられる周知の３点曲げによる曲げ剛性（EI）eqを用いる。
【００１８】
またここで、３点曲げとは、スパン８００mmでシャフト単体をチップ先端から６５０mmの位置を加圧し、圧接子が５０mm変位したときの反力を測定した値を使用した。
このような現象の結果、実際にティーアップしたゴルフボールＱの中心に対して、クラブヘッド１のフェース面３の中心Ｐ（一般にスイートスポット）の位置は、アドレス位置よりプレーヤー側に所定距離Ｌ（一般に５mm〜３０mm程度）だけずれることになり、ティーアップしたゴルフボールＱの中心に対して、クラブヘッド１のフェース面３の中心Ｐは、トウ側にはずれて打球することになる。
【００１９】
このため、ゴルフボールＱの弾き出す方向が定まらず、プレーヤーが狙った目標方向に飛ばなかったり、また不安定となる現象が生じていた。
また、上記のトウダウン現象により、ゴルフボールＱを打球する位置が外れた場合には、クラブヘッド１の最大の反発特性が得られず、飛距離を損なう確率も増大すると言う問題があった。
【００２０】
例えば、本願発明等が実際に、新規に設計したゴルフクラブを評価するため、スウィングロボットのアームにゴルフクラブを装着し、アドレス時にゴルフボールＱをクラブヘッド１のフェース面３の中心Ｐに位置合わせしてスウィングすると、殆どゴルフボールＱは真っ直ぐに飛ばないことが多いことが判った。
そこで、本願発明者等は、上記のような現象を解決すべく、種々の検討や実験を行った結果、ゴルフボールＱが真っ直ぐに飛ばない原因の一つとして、上述したトウダウン現象であることの知見を得た。
【００２１】
【実施例】
以下、添付図面に基づき、この発明の実施形態を説明する。
図１（ａ）〜（ｃ）は、同一クラブ番手間（この実施形態では、ウッドゴルフクラブの番手＃１を示している）で、種類の異なる３本のウッドゴルフクラブ１１の番手＃１（Ｘ），＃１（Ｙ），＃１（Ｚ）を示すウッドゴルフクラブシリーズを示している。
【００２２】
このウッドゴルフクラブシリーズは、例えば、ロフト角度，重心高さ，重心深度，ライ角度，フェース角，ヘッド体積，総重量等の種類を異ならせた３本のウッドゴルフクラブ＃１（Ｘ），＃１（Ｙ），＃１（Ｚ）であるが、それぞれゴルフクラブのトウダウン量δは略一定に設定してある。
また、図２（ａ）〜（ｃ）は、同一クラブ番手間（この実施形態では、アイアンゴルフクラブの番手＃３を示している）で、種類の異なる３本のアイアンゴルフクラブ１３の番手＃３（Ｘ），＃３（Ｙ），＃３（Ｚ）を示すアイアンゴルフクラブシリーズを示している。
【００２３】
このアイアンゴルフクラブシリーズも、上記ウッドゴルフクラブシリーズと同様に、ロフト角度，重心高さ，重心深度，ライ角度，フェース角，ヘッド体積，総重量等の種類を異ならせた３本のアイアンゴルフクラブ＃３（Ｘ），＃３（Ｙ），＃３（Ｚ）であるが、それぞれゴルフクラブのトウダウン量比は略一定に設定してある。
【００２４】
図１（ａ）〜（ｃ）に示すウッドゴルフクラブ１１のクラブシャフト１２の一部、及び図２（ａ）〜（ｃ）に示すアイアンゴルフクラブ１３のクラブシャフト１４の一部に、トウダウン量比λijに相当する識別記号Ｐを表示することが選別上好ましい。
また、α1 〜α3 はウッドゴルフクラブ１１及びβ1 〜β3 はアイアンゴルフクラブ１３のロフト角を示している。
【００２５】
この発明では、同一クラブ番手間で、種類（性格）の異なる二本以上のゴルフクラブから成るゴルフクラブシリーズで、同一クラブ番手間のゴルフクラブのトウダウン量比λijを略一定に設定することで、ゴルフクラブをスウィングする際にも違和感が小さく、しかもスタンスを同じにしてスウィングすることが出来、安定した方向性を常に得ることが出来る。
【００２６】
トウダウン量比λijとしては、０．９〜１．１に設定するのが好ましい。
以下の表１は、ゴルフクラブシリーズの３本のウッドゴルフクラブ＃１（Ｘ），＃１（Ｙ），＃１（Ｚ）を使用した場合の方向性のバラツキを示したもので、この実施例と比較例とは、トップアマチュアが５０回打球した時の結果である。
使用したウッドゴルフクラブは、ドライバー（＃１）で、ヘッドスピードＨｓ（３４ｍ／Sec ）である。
【００２７】
【表１】
0004043072.tif 000003
【００２８】
以上の表１から明らかなように、同一クラブ番手間で、種類（性格）の異なる二本以上のゴルフクラブから成るゴルフクラブシリーズで、同一クラブ番手間のゴルフクラブのトウダウン量を略一定に設定し、トウダウン量比が同じクラブを選択して使用することにより、比較例と比較して、方向性のバラツキが小さく、ゴルフクラブをスウィングする際にも違和感が小さく、しかもスタンスを同じにしてスウィングすることが出来、安定した方向性を常に得ることが出来る。
また、トウダウン量としては、０．９〜１．１に設定するのが好ましい。
【００２９】
【発明の効果】
この発明は、上記のように同一番手でありながらロフト角度、重心高さ、重心深度、ライ角度、フェース角、ヘッド体積又は総重量が異なる複数種類のゴルフクラブを含むゴルフクラブ群において、同一番手のゴルフクラブのトウダウン量比を、ゴルファーの回転角速度と腕の長さを一定とする条件下で、０．９〜１．１に設定したので、同一クラブ番手間で、種類の異なる二本以上のゴルフクラブをスウィングする際にも違和感が小さく、しかもスタンスを同じにしてスウィングすることが出来、安定した方向性を常に得ることが出来る。
【００３０】
また、ゴルフクラブが同一番手毎に互いに実質的に同一のトウダウン量比を有していることを識別する識別記号を表示して識別可能にすることで、新たに購入したゴルフクラブであっても、スタンスを同じにしてスウィングすることが可能となり、常に安定した方向性を得ることが出来る。
【図面の簡単な説明】
【図１】（ａ）〜（ｃ）は、この発明にかかる同一クラブ番手間で、種類の異なる３本のウッドゴルフクラブの番手＃１（Ｘ），＃１（Ｙ），＃１（Ｚ）を示すウッドゴルフクラブシリーズの概略構成図である。
【図２】（ａ）〜（ｃ）は、この発明にかかる同一クラブ番手間で、種類の異なる３本のアイアンゴルフクラブの番手＃３（Ｘ），＃３（Ｙ），＃３（Ｚ）を示すアイアンゴルフクラブシリーズの概略構成図である。
【図３】一般のウッドゴルフクラブにおけるトウダウン量の説明図である。
【符号の説明】
１１  ウッドゴルフクラブ            １２  クラブシャフト
１３  アイアンゴルフクラブ          １４  クラブシャフト
α1 〜α3   ウッドゴルフクラブのロフト角
β1 〜β3   アイアンゴルフクラブのロフト角
Ｐ  識別記号
【図１】
0004043072.tif 000004
【図２】
0004043072.tif 000005
【図３】
0004043072.tif 000006